(57)【要約】【課題】ユーザが任意に選択した画像に合った演出効果を付与するテンプレートを自動的に配信する。【解決手段】携帯電話機２の制御部２０９は、画像メモリ２０２に記憶された写真データのうち所望の写真データ２０２ａの選択を操作部２０８から受け付ける。次に、携帯電話機２の制御部２０９は、選択された写真データ２０２ａを記録する画像ファイルのヘッダ部分から付帯情報を読み出す。サービスサーバ１は、読み出された付帯情報に対応するテンプレートデータをＤＢ１３から特定する。そして、特定したテンプレートデータをＤＢ１３から抽出して携帯電話機２に送信する。携帯電話機２でテンプレートデータに含まれる再生アプリ１１ａを実行すると、選択した写真データ２０２ａに所定の演出効果を付与したスライドショーが再生される。【選択図】  図６
2006203670.tif 000002
【特許請求の範囲】
【請求項１】
画像に付帯する付帯情報と前記画像に所定の演出効果を付与して再生するためのテンプレートデータとを対応づけて記憶する記憶部と、
所望の画像の選択を受け付ける選択部と、
前記選択された画像の付帯情報に対応するテンプレートデータを前記記憶部から特定する特定部と、
前記特定されたテンプレートデータを送信する送信部と、
を備えるテンプレート配信装置。
【請求項２】
画像に付帯する付帯情報と前記画像に所定の演出効果を付与して再生するためのテンプレートデータとを対応づけて記憶する記憶部と、
所望の画像の選択を受け付ける選択部と、
前記選択された画像の付帯情報に対応するテンプレートデータに従い、前記選択された画像に所定の演出効果を付与して再生する再生部と、
を備える再生装置。
【請求項３】
画像に付帯する付帯情報と前記画像に所定の演出効果を付与して再生するためのテンプレートデータとを対応づけて記憶する第１記憶部と、
所望の画像の選択を受け付ける選択部と、
前記選択された画像の付帯情報に対応するテンプレートデータの送信を要求する要求部と、
前記選択された画像の付帯情報に対応するテンプレートデータの送信要求を受け付ける要求受付部と、
前記要求を受け付けたことに応じて前記選択された画像の付帯情報に対応するテンプレートデータを前記記憶部から特定する特定部と、
前記特定されたテンプレートデータを送信する送信部と、
前記送信されたテンプレートデータを受信する受信部と、
前記受信したテンプレートデータと前記選択された画像の付帯情報とを対応づけて記憶する第２記憶部と、
前記選択された画像の付帯情報に対応するテンプレートデータに従い、前記選択された画像に所定の演出効果を付与して再生する再生部と、
を備えるテンプレート配信システム。
【請求項４】
画像の特徴情報と前記画像に所定の演出効果を付与して再生するためのテンプレートデータとを対応づけて記憶する記憶部と、
所望の画像の選択を受け付ける選択部と、
前記選択された画像の特徴情報に対応するテンプレートデータを前記記憶部から特定する特定部と、
前記特定されたテンプレートデータを送信する送信部と、
を備えるテンプレート配信装置。
【請求項５】
画像の特徴情報と前記画像に所定の演出効果を付与して再生するためのテンプレートデータとを対応づけて記憶する記憶部と、
所望の画像の選択を受け付ける選択部と、
前記選択された画像の特徴情報に対応するテンプレートデータに従い、前記選択された画像に所定の演出効果を付与して再生する再生部と、
を備える再生装置。
【請求項６】
画像の特徴情報と前記画像に所定の演出効果を付与して再生するためのテンプレートデータとを対応づけて記憶する第１記憶部と、
所望の画像の選択を受け付ける選択部と、
前記選択された画像から特徴情報を抽出する抽出部と、
前記選択された画像の特徴情報に対応するテンプレートデータの送信を要求する要求部と、
前記選択された画像の特徴情報に対応するテンプレートデータの送信要求を受け付ける要求受付部と、
前記要求を受け付けたことに応じて前記選択された画像の特徴情報に対応するテンプレートデータを前記記憶部から特定する特定部と、
前記特定されたテンプレートデータを送信する送信部と、
前記送信されたテンプレートデータを受信する受信部と、
前記受信したテンプレートデータと前記選択された画像の特徴情報とを対応づけて記憶する第２記憶部と、
前記選択された画像の特徴情報に対応するテンプレートデータに従い、前記選択された画像に所定の演出効果を付与して再生する再生部と、
を備えるテンプレート配信システム。
【請求項７】
所望の画像の選択を受け付けるステップと、
前記選択された画像の付帯情報に対応するテンプレートデータを送信するステップと、
を含むテンプレート配信方法。
【請求項８】
所望の画像の選択を受け付けるステップと、
前記選択された画像の付帯情報に対応するテンプレートデータに従い、前記選択された画像に所定の演出効果を付与して再生するステップと、
を含む再生方法。
【請求項９】
所望の画像の選択を受け付けるステップと、
前記選択された画像から特徴情報を抽出するステップと、
前記抽出された画像の特徴情報に対応するテンプレートデータを送信するステップと、
を含むテンプレート配信方法。
【請求項１０】
所望の画像の選択を受け付けるステップと、
前記選択された画像から特徴情報を抽出するステップと、
前記抽出された画像の特徴情報に対応するテンプレートデータに従い、前記選択された画像に所定の演出効果を付与して再生するステップと、
を含む再生方法。
【発明の詳細な説明】
【技術分野】
【０００１】
本発明はテンプレート配信装置に係り、特に画像に所定の演出効果を付与するテンプレートを配信する装置に関する。
【背景技術】
【０００２】
従来、画像に所定の演出効果を付与する技術が様々開発されている。例えば非特許文献１及び２によると、携帯電話でアクセスしたサーバのテンプレート選択ページで画像に合ったテンプレートを選び、各テンプレートに対応した空メールの送信を行うと、サーバからテンプレートセットが返信メールにて送られてくる。ユーザは、所望の画像と返信されてきたテンプレートセットにより音声付きのフォトクリップを作成できる。
【非特許文献１】「ウゴクフォトミラクル」［平成１７年１月１２日検索］、インターネットＵＲＬ＜http://www.photomiracle.com/pc/＞
【非特許文献２】「デコメールテンプレート提供サービス」［平成１７年１月１２日検索］、インターネットＵＲＬ＜http://www.fujifilm.co.jp/news_r/nrj1313s.html＞
【発明の開示】
【発明が解決しようとする課題】
【０００３】
上記の従来技術では、ユーザが自分で画像に合ったテンプレートを１つ１つ選択しなければならず煩雑である。本発明はこのような問題点に鑑みてなされたもので、ユーザが任意に選択した画像に合った演出効果を付与するテンプレートを自動的に配信するシステムを提供することを目的とする。
【課題を解決するための手段】
【０００４】
上述の課題を解決するため、本発明に係るテンプレート配信装置は、画像に付帯する付帯情報と画像に所定の演出効果を付与して再生するためのテンプレートデータとを対応づけて記憶する記憶部と、所望の画像の選択を受け付ける選択部と、選択された画像の付帯情報に対応するテンプレートデータを記憶部から特定する特定部と、特定されたテンプレートデータを送信する送信部と、を備える。
【０００５】
この発明によると、画像を選択すれば、選択した画像の付帯情報に対応するテンプレートデータが送信される。予め付帯情報に応じて適切なテンプレートデータを対応づけて記憶させておけば、ユーザは画像の付帯情報に合ったテンプレートデータをいちいち選択せずとも自動的に配信を受けることができる。なお、演出効果は、動画・静止画等の映像及び音声を含むが、その他の物理的効果（バイブレーション振動、発光など）であってもよい。
【０００６】
また、上述の課題を解決するため、本発明に係る再生装置は、画像に付帯する付帯情報と画像に所定の演出効果を付与して再生するためのテンプレートデータとを対応づけて記憶する記憶部と、所望の画像の選択を受け付ける選択部と、選択された画像の付帯情報に対応するテンプレートデータに従い、選択された画像に所定の演出効果を付与して再生する再生部と、を備える。
【０００７】
この発明によると、ユーザによって画像が選択されれば、画像の付帯情報に対応するテンプレートデータに従い、選択された画像に所定の演出効果を付与して再生する。このため、ユーザがいちいちテンプレートデータを選択しなくても、画像の付帯情報に合った演出効果が付与されて画像が再生される。
【０００８】
また、上述の課題を解決するため、本発明に係るテンプレート配信システムは、画像に付帯する付帯情報と画像に所定の演出効果を付与して再生するためのテンプレートデータとを対応づけて記憶する第１記憶部と、所望の画像の選択を受け付ける選択部と、選択された画像の付帯情報に対応するテンプレートデータの送信を要求する要求部と、選択された画像の付帯情報に対応するテンプレートデータの送信要求を受け付ける要求受付部と、要求を受け付けたことに応じて選択された画像の付帯情報に対応するテンプレートデータを記憶部から特定する特定部と、特定されたテンプレートデータを送信する送信部と、送信されたテンプレートデータを受信する受信部と、受信したテンプレートデータと選択された画像の付帯情報とを対応づけて記憶する第２記憶部と、選択された画像の付帯情報に対応するテンプレートデータに従い、選択された画像に所定の演出効果を付与して再生する再生部と、を備える。
【０００９】
また、上述の課題を解決するため、本発明に係るテンプレート配信装置は、画像の特徴情報と画像に所定の演出効果を付与して再生するためのテンプレートデータとを対応づけて記憶する記憶部と、所望の画像の選択を受け付ける選択部と、選択された画像の特徴情報に対応するテンプレートデータを記憶部から特定する特定部と、特定されたテンプレートデータを送信する送信部と、を備える。
【００１０】
この発明によると、画像を選択すれば、選択した画像の特徴情報に対応するテンプレートデータが送信される。予め特徴情報に応じて適切なテンプレートデータを対応づけて記憶させておけば、ユーザは画像に合ったテンプレートデータをいちいち選択せずとも自動的に配信を受けることができる。なお、特徴情報とは、画像の特徴を表す情報である。
【００１１】
また、上述の課題を解決するため、本発明に係る再生装置は、画像の特徴情報と画像に所定の演出効果を付与して再生するためのテンプレートデータとを対応づけて記憶する記憶部と、所望の画像の選択を受け付ける選択部と、選択された画像の特徴情報に対応するテンプレートデータに従い、選択された画像に所定の演出効果を付与して再生する再生部と、を備える。
【００１２】
この発明によると、ユーザによって画像が選択されれば、画像の特徴情報に対応するテンプレートデータに従い、選択された画像に所定の演出効果を付与して再生する。このため、ユーザがいちいちテンプレートデータを選択しなくても、画像に合った演出効果が付与されて画像が再生される。
【００１３】
本発明に係るテンプレート配信システムは、画像の特徴情報と画像に所定の演出効果を付与して再生するためのテンプレートデータとを対応づけて記憶する第１記憶部と、所望の画像の選択を受け付ける選択部と、選択された画像から特徴情報を抽出する抽出部と、選択された画像の特徴情報に対応するテンプレートデータの送信を要求する要求部と、選択された画像の特徴情報に対応するテンプレートデータの送信要求を受け付ける要求受付部と、要求を受け付けたことに応じて選択された画像の特徴情報に対応するテンプレートデータを記憶部から特定する特定部と、特定されたテンプレートデータを送信する送信部と、送信されたテンプレートデータを受信する受信部と、受信したテンプレートデータと選択された画像の特徴情報とを対応づけて記憶する第２記憶部と、選択された画像の特徴情報に対応するテンプレートデータに従い、選択された画像に所定の演出効果を付与して再生する再生部と、を備える。
【００１４】
本発明に係るテンプレート配信方法は、所望の画像の選択を受け付けるステップと、選択された画像の付帯情報に対応するテンプレートデータを送信するステップと、を含む。
【００１５】
本発明に係る再生方法は、所望の画像の選択を受け付けるステップと、選択された画像の付帯情報に対応するテンプレートデータに従い、選択された画像に所定の演出効果を付与して再生するステップと、を含む。
【００１６】
本発明に係るテンプレート配信方法は、所望の画像の選択を受け付けるステップと、選択された画像から特徴情報を抽出するステップと、抽出された画像の特徴情報に対応するテンプレートデータを送信するステップと、を含む。
【００１７】
本発明に係る再生方法は、所望の画像の選択を受け付けるステップと、選択された画像から特徴情報を抽出するステップと、抽出された画像の特徴情報に対応するテンプレートデータに従い、選択された画像に所定の演出効果を付与して再生するステップと、を含む。
【発明の効果】
【００１８】
この発明によると、画像を選択すれば、選択した画像の付帯情報又は特徴情報に対応するテンプレートデータが送信される。予め付帯情報又は特徴情報に応じて適切なテンプレートデータを対応づけて記憶させておけば、ユーザは画像に合ったテンプレートデータをいちいち選択せずとも自動的に配信を受けることができ、選択された画像に所定の演出効果を付与して再生することができる。
【発明を実施するための最良の形態】
【００１９】
以下、添付した図面を参照し本発明の好ましい実施の形態を説明する。
【００２０】
＜第１実施形態＞
［概略構成］
図１は、本発明の好ましい実施形態に係るテンプレート配信システムのブロック構成図である。このシステムは、インターネットなどのネットワーク４に接続されたサービスサーバ１と、携帯電話機２と、携帯電話機２と無線接続し、携帯電話機２をネットワーク４に接続させる無線基地局３とを備えている。サービスサーバ１は、制御部１１、通信部１２及びテンプレートデータベース（以下単にＤＢで表す）１３を有している。
【００２１】
図２は、携帯電話機２の機能ブロック図である。携帯電話機２は、カメラ部２０１、画像メモリ２０２、圧縮伸張部２０３、メモリ２０４、表示部２０５、プロトコル変換部２０６、無線通信部２０７、操作部２０８、制御部２０９、音声コントローラ２１１、スピーカ２１２、ＥＥＰＲＯＭ２１３を有している。なお、通常の携帯電話機として機能するためのマイク等も設けられているが、図２では省略している。制御部２０９は、携帯電話機２の各回路ブロックと接続されており、テンキーなどの操作キーを含む操作部２０８から入力される指示信号に基づいて各ブロックを制御する。操作部２０８に設けられたシャッターボタンが押下されると制御部２０９はカメラ部２０１に撮像の開始を指示し、カメラ部２０１はこれに応じて撮像を行う。
【００２２】
カメラ部２０１は被写体像を画像データに変換して画像メモリ２０２に記憶する。この画像データはExif（Exchangeable Image File Format）ファイルのように、付加情報を画像に付帯させて記録可能な形式である。制御部２０９は、画像データを画像ファイルのデータ部分に記録し、撮影日時情報や撮影位置座標（図示しないＧＰＳ機能でＧＰＳ衛星から取得可能）などの付帯情報を画像ファイルのヘッダ部分（Imagedescriptionタグなどの所定のタグ）に記録する。画像メモリ２０２の画像データは、液晶画面などで構成された表示部２０５に表示できる。以下、簡略のため、カメラ部２０１から得られた画像データを写真データと呼ぶ。
【００２３】
画像メモリ２０２に記憶された写真データは、プロトコル変換部２０６において宛先情報（相手方のメールアドレスなど）をヘッダ情報に付加し、所定のプロトコルに従って無線通信部２０７に送られる。無線通信部２０７に送られた写真データは、アンテナ２１０から無線基地局３を介して他の携帯電話機やパソコンなどに送信することもできる。
【００２４】
音声コントローラ２１１は、メモリ２０４に記憶された音声データをアナログオーディオ信号へ変換してスピーカ２１２に出力し、スピーカ２１２はこの信号に従って音声を出力する。音声コントローラ２１１はノイズとなる高い周波数成分をアナログオーディオ信号から除去する処理やアナログオーディオ信号を増幅する処理を行なってもよい。無論、音声コントローラ２１１は、モノラル音声再生の他、多重音声再生（２チャンネルステレオなど）に対応させてもよい。
【００２５】
携帯電話機２は、特定のアドレスで指定される通信部１２にＷｅｂブラウザを用いてアクセスし、Ｊａｖａやｉアプリ（登録商標）等の言語で記述されたアプリケーションをＤＢ１３からダウンロードしてメモリ２０４に保存する。アプリケーションは、スタンドアロン型とネットワーク接続型の2種類に大きく分類される。スタンドアロン型は、アプリケーションをダウンロードするとＥＥＰＲＯＭ２１３に保存されて、その後は通信を行なわなくても利用できる。ネットワーク接続型は、必要に応じてネットワークへアクセスし情報を取り込む機能を有する。
【００２６】
本実施形態では、ＤＢ１３からは、スタンドアロン型のアプリケーションであるスライドショー再生アプリ（以下再生アプリで略す）、ネットワーク接続型のアプリケーションであるテンプレートデータダウンロードアプリ（以下ダウンロードアプリで略す）がダウンロードされる。ダウンロードアプリは、ＤＢ１３からテンプレートデータをダウンロードする。テンプレートデータは、文字データ、オーディオデータ及び画像データ若しくはこれらの一部若しくは全部の組み合わせからなる再生コンテンツ並びに再生コンテンツを携帯電話機２で再生する再生アプリを含む。以下、ＤＢ１３からダウンロードされる文字データ、オーディオデータ及び画像データを、それぞれコメントデータ、楽曲データ及びテンプレート画像データという。コメントデータ、楽曲データ、テンプレート画像データ及び写真データは再生アプリの再生するリソースとして用いられる。
【００２７】
なお、ダウンロードされたアプリケーションがＪａｖａのようなプラットフォーム非依存の言語で記述されている場合、これを携帯電話機２で実行可能な固有の形式（ネイティブコード）にする必要がある。この場合、制御部２０９は、メモリ２０４に保存したアプリケーションを、ＥＥＰＲＯＭ２１３に記憶された所定のプログラムでネイティブコードに変換する。
【００２８】
制御部２０９は、メモリ２０４に保存されたアプリケーションを実行する。スタンドアロン型のアプリケーションがＥＥＰＲＯＭ２１３に保存されているときは、これをメモリ２０４に読み出して実行する。
【００２９】
図３は制御部２０９の実行するアプリケーション及び該アプリケーションの用いるリソースを概念的に示している。
【００３０】
制御部２０９の実行するスライドショー再生アプリ１１ａは、画像メモリ２０２に記憶された写真データ２０２ａと、メモリ２０４に記憶されたテンプレート画像データ２０４ｃ、コメントデータ２０４ｄをリソースとして映像（文字、静止画及び動画を含む）の表示を行う。スライドショー再生アプリ１１ａは、楽曲データ２０４ｂをリソースとして、映像表示に連動して音声の再生を行う。写真データ２０２ａの表示パターンや表示位置、コメントデータ２０４ｄの表示位置・表示サイズ・フォント、テンプレート画像データ２０４ｃの表示位置などの映像表示の演出効果に関するパラメータ設定はスライドショー再生アプリ１１ａのメソッドに記述されている。スライドショー再生アプリ１１ａ、楽曲データ２０４ｂ、テンプレート画像データ２０４ｃ、コメントデータ２０４ｄを含むテンプレートデータは、サービスサーバ１から受信する。
【００３１】
図４及び５はＤＢ１３に記憶されるデータを概念的に示している。ＤＢ１３には、テンプレートデータとして、テンプレート画像データ、コメント、楽曲が記憶されている。本実施形態では、ＤＢ１３において、テンプレートデータと付帯情報とが対応づけられている。付帯情報は、好ましくは撮影位置情報（GPSIFD）（図４参照）あるいは撮影日時情報（DateTimeOriginal）（図５参照）であるが、撮影者名、シャッタースピード、絞り値など、画像に付帯できる情報であれば特に限定されない。
【００３２】
以下、図６のフローチャートを参照し、テンプレート配信サービスシステムで実行される処理の流れを説明する。
【００３３】
まず、携帯電話機２の制御部２０９は、画像メモリ２０２に記憶された写真データのうち所望の写真データの選択を操作部２０８から受け付ける（Ｓ１）。次に、携帯電話機２の制御部２０９は、選択された写真データ２０２ａを記録する画像ファイルのヘッダ部分から付帯情報を読み出す。そして、読み出した付帯情報に対応するテンプレートデータがＥＥＰＲＯＭ２１３に記憶されているか否かを判断する（Ｓ２）。記憶されていないと判断した場合はＳ３に移行し、記憶されていると判断した場合はＳ７に移行する。Ｓ３では、携帯電話機２はダウンロードアプリ１１ｂによりサービスサーバ１にアクセスし、Ｓ４では、ダウンロードアプリ１１ｂにより付帯情報に対応するテンプレートデータの送信を要求する。
【００３４】
サービスサーバ１は、携帯電話機２のアクセス及びテンプレートデータの送信要求を待機しているが、アクセス及び送信要求があるとこれを受け付け（Ｓ１０）、Ｓ１１に移行する。Ｓ１１では、付帯情報に対応するテンプレートデータをＤＢ１３から特定する。そして、特定したテンプレートデータをＤＢ１３から抽出して携帯電話機２に送信する（Ｓ１２）。
【００３５】
携帯電話機２の制御部２０９は、テンプレートデータを受信したか否かを判断する（Ｓ５）。受信した場合はＳ６に移行し、受信しない場合はＳ４に戻って引き続きテンプレートデータの送信を要求する。
【００３６】
携帯電話機２の制御部２０９は、ダウンロードアプリ１１ｂにより受信したテンプレートデータと付帯情報とを対応づけてをＥＥＰＲＯＭ２１３に記憶する（Ｓ６）。テンプレートデータと付帯情報との対応づけはＤＢ１３と同様、撮影日時情報とテンプレートデータ、あるいは撮影位置情報とテンプレートデータを対応づけることで行えばよい（図４及び５を参照）。
【００３７】
携帯電話機２の制御部２０９は、読み出した付帯情報に対応するテンプレートデータをＥＥＰＲＯＭ２１３からメモリ２０４に読み込む（Ｓ７）。そして、メモリ２０４に読み込んだ再生アプリ１１ａを実行する。再生アプリ１１ａは、選択された写真データ２０２ａ、メモリ２０４に読み込んだ楽曲データ２０４ｂ、テンプレート画像データ２０４ｃ、コメントデータ２０４ｄを再生リソースとし、楽曲データ２０４ｂ、テンプレート画像データ２０４ｃ、コメントデータ２０４ｄに従い、写真データ２０２ａに所定の演出効果を付与したスライドショーを再生する（Ｓ８）。
【００３８】
以上説明した通り、携帯電話機２で所望の写真データを選択すると、選択された写真データの付帯情報に対応するテンプレートデータがサービスサーバ１から送られてくる。携帯電話機２で、テンプレートデータに含まれる再生アプリ１１ａを実行すると、選択した写真データに所定の演出効果を付与したスライドショーが再生される。このため、画像の付帯情報に合った演出効果、特に撮影場所や被写体に合った演出効果を自動的に得ることができ、自分でいちいち演出効果を選択しなくても済む。
【００３９】
＜第２実施形態＞
ＤＢ１３に記憶するテンプレートデータは、付帯情報以外の情報と対応づけることもできる。例えば、画像から抽出可能な画像の特徴を表す情報（以下特徴情報という）と対応づけてもよい。
【００４０】
図７は特徴情報とテンプレートデータとを対応づけて記憶するＤＢ１３の概念説明図である。特徴情報の一例としては、画像に含まれる人物、空、海、木、建物等の被写体であるオブジェクトの名前、画像におけるオブジェクトの位置を表す位置情報、人物の肌色や風景の青色や緑色等の色情報が挙げられる（例えば、特許公開２００４−８６７３７号公報、特許公開２００３−２０９８２５号公報を参照）。
【００４１】
制御部２０９は、これらの特徴情報を画像から抽出するプログラムを実行する。このプログラムはＥＥＰＲＯＭ２１３に記憶されている。
【００４２】
図８は第２実施形態に係るテンプレート配信サービスシステムで実行される処理の流れを示すフローチャートである。
【００４３】
処理全体の流れは第１実施形態と同様であるが、各ステップにおける処理の内容が異なる。即ち、まず、携帯電話機２の制御部２０９は、画像メモリ２０２に記憶された写真データのうち所望の写真データ２０２ａの選択を操作部２０８から受け付ける（Ｓ２１）。次に、携帯電話機２の制御部２０９は、選択された写真データ２０２ａから特徴情報を抽出する。そして、抽出した特徴情報に対応するテンプレートデータがＥＥＰＲＯＭ２１３に記憶されているか否かを判断する（Ｓ２２）。記憶されていないと判断した場合はＳ２３に移行し、記憶されていると判断した場合はＳ２７に移行する。Ｓ２３では、携帯電話機２はサービスサーバ１にアクセスし、Ｓ２４では、特徴情報に対応するテンプレートデータの送信を要求する。
【００４４】
サービスサーバ１は、携帯電話機２のアクセスを待機しているが（Ｓ１００）、アクセスがあるとＳ１０１に移行し、特徴情報に対応するテンプレートデータをＤＢ１３から特定する。そして、特定したテンプレートデータをＤＢ１３から抽出して携帯電話機２に送信する（Ｓ１０２）。
【００４５】
携帯電話機２の制御部２０９は、テンプレートデータを受信したか否かを判断する（Ｓ２５）。受信した場合はＳ２６に移行し、受信しない場合はＳ２４に戻って引き続きテンプレートデータの送信を要求する。
【００４６】
携帯電話機２の制御部２０９は、受信したテンプレートデータと特徴情報とを対応づけてをＥＥＰＲＯＭ２１３に記憶する（Ｓ２６）。テンプレートデータと特徴情報との対応づけはＤＢ１３と同様である（図７を参照）。
【００４７】
再生アプリ１１ａは、選択された写真データ２０２ａ、メモリ２０４に読み込んだ楽曲データ２０４ｂ、テンプレート画像データ２０４ｃ、コメントデータ２０４ｄを再生リソースとし、楽曲データ２０４ｂ、テンプレート画像データ２０４ｃ、コメントデータ２０４ｄに従い、写真データ２０２ａに所定の演出効果を付与したスライドショーを再生する（Ｓ２８）。
【００４８】
以上説明した通り、携帯電話機２で所望の写真データを選択すると、選択された写真データから抽出された特徴情報に対応するテンプレートデータがサービスサーバ１から送られてくる。携帯電話機２で、テンプレートデータに含まれる再生アプリ１１ａを実行すると、選択した写真データに所定の演出効果を付与して再生される。このため、画像の特徴情報に合った演出効果を自動的に得ることができ、自分でいちいち演出効果を選択しなくても済む。
【００４９】
＜第３実施形態＞
本発明の再生装置は携帯電話機２に限らず、デジタルカメラ、パソコン、ＰＤＡなど、画像を再生可能でありかつサービスサーバ１にアクセス可能な装置であれば何でもよい。また、画像再生装置とサービスサーバ１とを一体構成してもよい。
【図面の簡単な説明】
【００５０】
【図１】本発明の好ましい実施形態に係るテンプレート配信サービスシステムのブロック構成図
【図２】携帯電話機の機能ブロック図
【図３】制御部の実行するアプリケーション及び該アプリケーションの用いるリソースを概念的に示す図
【図４】付帯情報（撮影場所情報）と対応づけて記憶されるテンプレートデータの説明図
【図５】付帯情報（撮影日時情報）と対応づけて記憶されるテンプレートデータの説明図
【図６】第１実施形態に係るテンプレート配信システムで実行される処理の流れを示すフローチャート
【図７】特徴情報と対応づけて記憶されるテンプレートデータの説明図
【図８】第２実施形態に係るテンプレート配信システムで実行される処理の流れを示すフローチャート
【符号の説明】
【００５１】
１：サービスサーバ、２：携帯電話機
【図１】
2006203670.tif 000003
【図２】
2006203670.tif 000004
【図３】
2006203670.tif 000005
【図４】
2006203670.tif 000006
【図５】
2006203670.tif 000007
【図６】
2006203670.tif 000008
【図７】
2006203670.tif 000009
【図８】
2006203670.tif 000010